(57)【特許請求の範囲】
【請求項１】
リール本体と、
前記リール本体に回転可能に支持される回転軸と、
前記回転軸に嵌合し、前記回転軸の一方向の回転を制限する一方向クラッチと、
前記回転軸に嵌合して前記回転軸とともに回転し、前記回転軸に接する部分が前記一方向クラッチ側に延びるボス部を含む回転体と、
前記一方向クラッチとは別体で前記回転軸の外周に接して嵌合し、前記ボス部の回転方向外周に一巡して形成された磁性体と、
前記磁性体に間隙を有して回転半径方向に対向する磁石、前記磁性体に間隙を有して回転半径方向に対向し該磁石を回転軸方向に挟持する磁性板、および、前記磁性板と前記磁性体の間隙に配置される磁性流体を有し、前記磁性板の支持部と前記磁性体との間をシールする磁気シール機構と、
を備える魚釣用リール。
【請求項２】
前記磁性体は前記ボス部に嵌合する円環状部材である、請求項１に記載の魚釣用リール。
【請求項３】
前記回転体の前記ボス部は磁性材料から形成され、前記ボス部と前記磁性体は一体である請求項１に記載の魚釣用リール。
【発明の詳細な説明】
【技術分野】
【０００１】
本発明は、一方向クラッチおよびそのシール機構を備える魚釣用リールに関する。
【背景技術】
【０００２】
魚釣用リールでは、リール本体に形成される収容部内に設けられる駆動部への浸水を防止し、水等が浸入し易い過酷な環境下においても常に安定した駆動性能を得るために、駆動部にシール機構が設けられる。シール機構に磁気シールを用いる魚釣用リールとして、例えば、特許文献１や特許文献２が知られている。
【０００３】
特許文献１の魚釣用リールでは、ハンドルの操作で連動回転する駆動部材を収容支持する収容凹部の開口部と駆動部材との間に磁気回路を形成し、この間に磁性流体を保持することにより開口部をシールする。特許文献２の魚釣用リールでは、ロータと一体回転する駆動部と、該駆動部を支持する支持部との間に磁気シール機構が形成される。
【０００４】
磁気シール機構は、磁石と、駆動部材または駆動部に嵌合されて磁石との間で磁気回路を形成する筒状の磁性体と、磁石と磁性体との間に保持される磁性流体と、によって構成されている。特許文献１および２では、シールする対象の一方向クラッチの内輪を延長して筒状の磁性体として兼用することが提案されている。
【先行技術文献】
【特許文献】
【０００５】
【特許文献１】特開２０１０−１８７５６６号公報
【特許文献２】特開２０１１−１６７１８６号公報
【発明の概要】
【発明が解決しようとする課題】
【０００６】
磁気シール機構を構成する筒状の磁性体を、ピニオンギアなどの駆動部に嵌合させる場合、例えば、ピニオンギアの外周に嵌合のための嵌合部を形成する必要があり、その加工が煩雑となる。筒状の磁性体を一方向クラッチの内輪と兼用させる場合、内輪を特殊な形状に成形する必要があり、汎用の一方向クラッチを使用できないためコスト高になるばかりでなく、内輪が磁化することで一方向クラッチのローラの回転（移動）に影響を及ぼし、一方向クラッチとしての機能にも影響を与えるなど、問題があった。
【０００７】
本発明は、これらの問題を解決するためになされたものであって、魚釣用リールの磁気シール機構において、一方向クラッチの機能を低下させることなく、組み立ても容易で安定した防水性能を維持することを目的とする。
【課題を解決するための手段】
【０００８】
本発明に係る魚釣用リールは、リール本体と、リール本体に回転可能に支持される回転軸と、回転軸に嵌合し、回転軸の一方向の回転を制限する一方向クラッチと、回転軸に嵌合して回転軸とともに回転し、回転軸に接する部分が一方向クラッチ側に延びるボス部を含む回転体と、一方向クラッチとは別体で回転軸の外周に接して嵌合し、ボス部の回転方向外周に一巡して形成された磁性体と、磁性体に間隙を有して回転半径方向に対向する磁石、磁性体に間隙を有して回転半径方向に対向し該磁石を回転軸方向に挟持する磁性板、および、磁性板と磁性体の間隙に配置される磁性流体を有し、磁性板の支持部と磁性体との間をシールする磁気シール機構と、を備える。
【０００９】
好ましくは、磁性体はボス部に嵌合する円環状部材である。あるいは、回転体のボス部は磁性材料から形成され、ボス部と磁性体は一体でもよい。
【発明の効果】
【００１０】
本発明によれば、一方向クラッチとしての機能を低下させることなく、組み立ても容易で安定した防水性能を維持することができる。
【図面の簡単な説明】
【００１１】
【図１】本発明の実施の形態に係る魚釣用リールの断面図である。
【図２】実施の形態に係る磁気シール機構部分の断面図である。
【図３】変形例に係る磁気シール機構部分の断面図である。
【発明を実施するための形態】
【００１２】
［実施の形態］
図１は、本発明の実施の形態に係る魚釣用リールの断面図である。実施の形態では、魚釣用リールとしてスピニングリール１００を対象とする。スピニングリール１００は、図１に向かって左方向が釣り竿の先端（前方）に向かうように、釣り竿に取り付けられる。スピニングリール１００は、リール本体１、ロータ１１、スプール１２およびハンドル１３を備える。スプール１２に巻かれた釣り糸（図示せず）は、前方すなわち図１の左方向に繰り出される。
【００１３】
ロータ１１は、クランクであるハンドル１３を回すことによって、前後方向すなわち図１の左右方向に延びる中心軸の周りに回転する。ハンドル１３を回すとロータ１１の回転と同期してスプール１２が前後方向に往復動する。その動作によって、繰り出されていた釣り糸はロータ１１に案内されてスプール１２の円筒面に均されて巻き付けられる。
【００１４】
ロータ１１は、ピニオンギア３の取付部３２に嵌合してピニオンギア３に固定され、ピニオンギア３とともに回転する。ピニオンギア３は、リール本体１に回転可能に支持される。ピニオンギア３は、回転軸であり、ロータ１１は、回転体である。ピニオンギア３は中空の筒状で、ピニオンギア３を貫通してスプール軸２が配置される。スプール軸２とピニオンギア３は、相対的に回転および往復動する。スプール軸２の先端側には、ドラグ機構１６を介してスプール１２が装着されている。スプール軸２の後端側は、オシレーティング機構１５に接続されている。
【００１５】
ハンドル１３はクランクになっており、クランク軸に駆動ギア１４が取り付けられている。駆動ギア１４は、例えばかさ歯車で、ピニオンギア３のギア部３１と噛み合っている。オシレーティング機構１５は、ピニオンギア３と同期して回転する。オシレーティング機構１５が回転すると、スプール軸２を前後方向に往復動させる。スプール軸２の後端側、ピニオンギア３のギア部３１側、駆動ギア１４およびオシレーティング機構１５は、リール本体１に収容されている。
【００１６】
ピニオンギア３が一方向にのみ回転するように、ピニオンギア３と収容部材４の間に一方向クラッチ５が配置されている。収容部材４は、リール本体１に固定される。一方向クラッチ５の内輪は、ピニオンギア３に嵌合してピニオンギア３とともに回転する。一方向クラッチ５の外輪は、収容部材４に嵌合して固定される。
【００１７】
一方向クラッチ５は、例えばローラ式のワンウェイクラッチである。ローラ式のワンウェイクラッチは外輪、内輪、ローラおよびスプリングで構成され、外輪の内周または内輪の外周にカム面が形成されている。カム面に対向してローラが配置され、スプリングによって外輪のカム面と内輪の外周、あるいは内輪のカム面と外輪の内周に接触するように保たれている。外輪に対して内輪がある一方向に回転しようとするとカム面とローラとの接触面圧が高くなり、抵抗となって内輪は外輪に対して回転しない。内輪が逆方向に回転しようとすると、カム面とローラとの接触面圧が低くなり、ローラは遊転して内輪は外輪に対して回転する。その結果、ピニオンギア３は一方向にのみ回転する。
【００１８】
一方向クラッチ５は、蓋部材６で収容部材４に保持される。蓋部材６は、ピニオンギア３とロータ１１のピニオンギア３に嵌合する部分であるボス部で構成される回転部分を除いて、収容部材４の前面を覆っている。蓋部材６は、回転部分に接触しないように固定される。
【００１９】
蓋部材６とロータ１１のボス部との間をシールするために、円環状の磁石８および磁性板９ａ、９ｂを含む磁気シール機構が配置される。また、ボス部の回転方向外周に一巡して、円環状に磁性体７が形成されている。磁性体７と磁石８および磁性板９ａ、９ｂとは対向し、磁性体７と磁石８および磁性板９ａ、９ｂの間には隙間がある。磁石８、磁性板９ａ、９ｂおよび磁性体７で磁気回路が形成される。磁性体７と磁性板９ａ、９ｂの間に磁性流体が保持されて、蓋部材６と磁性体７（ボス部）との間がシールされる。
【００２０】
図２は、実施の形態に係る磁気シール機構部分の断面図である。図２では、スプール軸２の中心線に対して片側だけが示されている。
【００２１】
ロータ１１は、円筒部１１１、壁部１１２およびボス部１１３から構成される。これらは１つの部材によって一体的に形成されている。円筒部１１１は、円筒状の部材であって、内部に収容空間が形成されている。壁部１１２は、円形の板状に形成されており、中央に開口部を有する。壁部１１２の外周は、円筒部１１１の内周と連結している。ボス部１１３は、壁部１１２の内周側端部から一方向クラッチ５側に延びている。ボス部１１３は、ピニオンギア３の取付部３２に嵌合して固定され、ロータ１１はピニオンギア３とともに回転する。
【００２２】
収容部材４は、リール本体１の前方に、リール本体１に対して回転しないように、例えばネジで固定される。収容部材４の内部に一方向クラッチ５が収容される。蓋部材６は、収容部材４の外周を覆う円筒部と、収容部材４の前面を覆う蓋部とから構成される円環状の部材である。蓋部材６は、蓋部で一方向クラッチ５を収容部材４の内部空間に保持する。蓋部材６は、例えばネジで、リール本体１に固定される。蓋部材６の円筒部の端部とリール本体１との間にＯリング１７が介在している。蓋部材６の内周面は、磁性体７の外周面と間隔をあけて対向する。
【００２３】
磁性体７は、ボス部１１３の回転方向外周に一巡して円環状に形成され、ボス部１１３に嵌合している。図２の例では、磁性体７はピニオンギア３の外周に接する円環板状の部分を含む。磁性体７は、内周でピニオンギア３に嵌合しており、磁性体７の外周面は磁性体７および磁性体７とピニオンギア３の嵌め合いで規定される。
【００２４】
磁性体７に間隙を有し回転半径方向に対向して、磁石８が配置される。磁石８は円環状に形成されている。また、磁性体７に間隙を有し回転半径方向に対向して、磁性板９ａ、９ｂが配置される。磁性板９ａ、９ｂはともに、磁性体７の回転半径方向の外周を囲む円環状である。磁性板９ａおよび９ｂは、磁石８を回転軸の方向に挟持している。磁性板９ｂと磁石８は、蓋部材６の前面内周側に形成された凹部にはめ込まれ、磁性板９ａは、例えば蓋部材６の前面にネジなどで固定される。蓋部材６は、磁性板９ａ、９ｂを支持する支持部である。
【００２５】
磁石８および磁性板９ａ、９ｂの内周と磁性体７の間には隙間がある。その隙間に磁性流体１０が配置される。磁石８、磁性板９ａ、９ｂおよび磁性流体１０は磁気シール機構を構成する。
【００２６】
磁石８、磁性板９ａ、磁性体７および磁性板９ｂで磁気回路が形成される。磁性流体１０は、たとえば炭化水素油やフッ素油ベースの溶媒に粒径が数ｎｍ〜十数ｎｍの強磁性体微粒子を界面活性剤を用いて安定に分散させた物質である。磁性体７の磁石８と磁性部材９ａ、９ｂに対向する部分が磁化されるので、磁性流体１０は磁石８、磁性部材９ａ、９ｂおよび磁性体７で囲まれる領域に保持される。磁石８および磁性部材９ａ、９ｂと磁性体７の間の隙間は磁性流体１０でシールされ、異物が円筒部１１１の収容空間から一方向クラッチ５側に浸入するのを防止する。この磁気シール機構は、磁性体７の周りを液体で取り囲むため、気体に対して高い密封性がある。また、シール部分での固体接触がないので、ダストの発生がない。さらにシール部分に固体摺動がないので、損失トルクが小さく回転性能が低下しにくい。
【００２７】
磁石８の磁力線は、磁性板９ａ、９ｂおよび磁性体７に引き寄せられてその中を通るので、一方向クラッチ５側に磁石８の磁束が漏れることはない。そのため、一方向クラッチ５の内輪５１は磁化されることがなく、一方向クラッチ５の作動に磁石８の影響が及ぶことはない。その結果、本実施の形態によれば、一方向クラッチ５としての機能を低下させることなく、組み立ても容易で安定した防水性能を維持することができる。
【００２８】
磁性体７は、図２の形状には限らない。例えば、磁性体７を、ピニオンギア３に接する円環板状の部分がない円筒状の部材に磁性体７を形成し、ボス部１１３に嵌合させてもよい。
【００２９】
図３は、変形例に係る磁気シール機構部分の断面図である。図３の変形例では、ボス部１１３は磁性材料から形成され、磁性体７はボス部１１３と一体に形成されている。ロータ１１は、円筒部１１１と壁部１１２が一体に形成され、ボス部１１３は別部材で形成される。壁部１１２の内周部分がボス部１１３に固定されてロータ１１を構成する。壁部１１２はボス部１１３に、例えば、強圧入、カシメ、接着またはネジ止めなどで固定される。その他の構成は、図２と同様である。
【００３０】
変形例においても、磁石８の磁力線は、磁性板９ａ、９ｂおよびボス部１１３に引き寄せられてその中を通るので、一方向クラッチ５側に磁石８の磁束が漏れることはない。そのため、一方向クラッチ５の内輪５１は磁化されることがなく、一方向クラッチ５の作動に磁石８の影響が及ぶことはない。その結果、変形例でも、一方向クラッチ５としての機能を低下させることなく、組み立ても容易で安定した防水性能を維持することができる。
【００３１】
変形例では、磁石８および磁性板９ａ、９ｂに対向する磁性体７（ボス部１１３）の外周面は、ボス部１１３とピニオンギア３の嵌め合い精度で規定されるので、磁性板９ａ、９ｂとの隙間の精度が向上する。その結果、磁気シール機構のシール性能が向上する。
【００３２】
実施の形態では、スピニングリール１００のロータ１１を駆動するピニオンギア３に嵌合する一方向クラッチ５を磁気シール機構でシールする構成を説明したが、魚釣用リールの一方向クラッチを磁気シールするのは、この例に限らない。一方向クラッチを回転体の側からシールする磁気シール機構に、実施の形態の構成を適用することができる。
【符号の説明】
【００３３】
１    リール本体
２    スプール軸
３    ピニオンギア（回転軸）
４    収容部材
５    一方向クラッチ
６    蓋部材
７    磁性体
８    磁石
９ａ、９ｂ  磁性板
１０    磁性流体
１１    ロータ（回転体）
１２    スプール
１３    ハンドル
１４    駆動ギア
１５    オシレーティング機構
１００    スピニングリール
１１１    円筒部
１１２    壁部
１１３    ボス部
【図１】
0006408339.tif 000002
【図２】
0006408339.tif 000003
【図３】
0006408339.tif 000004